【手続補正書】
【提出日】平成16年4月12日(2004.4.12)
【手続補正１】
【補正対象書類名】明細書
【補正対象項目名】特許請求の範囲
【補正方法】変更
【補正の内容】
【特許請求の範囲】
【請求項１】
静電潜像が形成される感光体と、該感光体の下方で該感光体の長手方向に延びる壁面とを備え、記録媒体に画像を形成する画像形成装置において、
前記壁面のうち前記感光体の長手方向の中央部に配置された、前記感光体の結露を防止するための結露防止ヒータを備え、
前記壁面は、
前記結露防止ヒータの上方で前記長手方向に延びて該長手方向の両端部での面積が中央部での面積よりも広い少なくとも１つの開口部が形成されたものであることを特徴とする画像形成装置。
【請求項２】
静電潜像が形成される感光体と、該感光体の下方で該感光体の長手方向に延びる壁面とを備え、記録媒体に画像を形成する画像形成装置において、
前記壁面のうち前記感光体の長手方向の中央部に配置された、前記感光体の結露を防止するための結露防止ヒータを備え、
前記壁面は、
前記結露防止ヒータの上方で前記長手方向に延びる少なくとも１つの開口部と、該壁面のうち該開口部の上端部に形成された、前記長手方向の両端部での面積が中央部での面積よりも広い庇とを有するものであることを特徴とする画像形成装置。
【請求項３】
前記壁面は、
上下方向に離れた少なくとも２つの開口部を有し、上方の開口部の上端部には下方の開口部の上端部よりも広い庇が形成されてなることを特徴とする請求項２に記載の画像形成装置。
【請求項４】
静電潜像が形成される感光体と、該感光体の下方で該感光体の長手方向に延びる壁面とを備え、記録媒体に画像を形成する画像形成装置において、
前記壁面のうち前記感光体の長手方向の中央部に配置された、前記感光体の結露を防止するための結露防止ヒータを備え、
前記壁面は、
前記結露防止ヒータの上方で前記長手方向の中央部から両端部に向かうほど高くなるように延びる少なくとも１つの開口部と、該壁面のうち前記開口部の上端部に形成された、該開口部に沿って延びる庇とを有するものであることを特徴とする画像形成装置。
【請求項５】
静電潜像が形成される感光体と、該感光体の下方で該感光体の長手方向に延びる壁面とを備え、記録媒体に画像を形成する画像形成装置において、
前記壁面のうち前記感光体の長手方向の中央部に配置された、前記感光体の結露を防止するための結露防止ヒータを備え、
前記壁面は、
前記結露防止ヒータの上方で前記長手方向に延びる少なくとも１つの開口部が形成されたものであり、さらに、
前記開口部の広さを前記長手方向の中央部と両端部とで異ならせる開口部広さ可変手段を備えたことを特徴とする画像形成装置。
【請求項６】
前記開口部広さ可変手段は、
前記開口部の広さを温度に応じて前記長手方向の中央部と両端部とで異ならせる形状記憶素子を有するものであることを特徴とする請求項５に記載の画像形成装置。
【請求項７】
静電潜像が形成される感光体と、該感光体の下方で該感光体の長手方向に延びる壁面とを備え、記録媒体に画像を形成する画像形成装置において、
前記壁面のうち前記感光体の長手方向の中央部に配置された、前記感光体の結露を防止するための結露防止ヒータを備え、
前記壁面は、
前記結露防止ヒータの上方で前記長手方向に延びる少なくとも１つの開口部と、該壁面のうち前記開口部の上端部に形成された、該開口部に沿って延びる庇が形成されたものであり、さらに、
前記庇の広さを前記長手方向の中央部と両端部とで異ならせる庇広さ可変手段を備えたことを特徴とする画像形成装置。
【請求項８】
前記庇広さ可変手段は、
前記庇の広さを温度に応じて前記長手方向の中央部と両端部とで異ならせる形状記憶素子を有するものであることを特徴とする請求項７記載の画像形成装置。
【請求項９】
静電潜像が形成される感光体と、該感光体の下方で該感光体の長手方向に延びる壁面とを備え、記録媒体に画像を形成する画像形成装置において、
前記壁面のうち前記感光体の長手方向の中央部に配置された、前記感光体の結露を防止するための結露防止ヒータを備え、
前記壁面は、
前記結露防止ヒータの上方で前記長手方向に延びる少なくとも１つの開口部と、該壁面のうち前記開口部の上端部に形成された、該開口部に沿って延びる庇が形成されたものであり、さらに、
前記開口部の広さ及び／又は前記庇の広さを前記長手方向の中央部と両端部とで異ならせる可変手段を備えたことを特徴とする画像形成装置。
【請求項１０】
静電潜像が形成される感光体と、該感光体の下方で該感光体の長手方向に延びる壁面とを備え、記録媒体に画像を形成する画像形成装置において、
前記壁面のうち前記感光体の長手方向の中央部に配置された、前記感光体の結露を防止するための結露防止ヒータを備え、
前記壁面は、
前記結露防止ヒータの上方で前記長手方向に延びて該長手方向の両端部での面積が中央部での面積よりも広い少なくとも１つの開口部が形成されたものであり、さらに、
前記結露防止ヒータを略密閉すると共に、該結露防止ヒータと前記開口部とをつなげたエアダクトを備えたことを特徴とする画像形成装置。
【請求項１１】
静電潜像が形成される感光体と、該感光体の下方で該感光体の長手方向に延びる壁面とを備え、記録媒体に画像を形成する画像形成装置において、
前記壁面のうち前記感光体の長手方向の中央部に配置された、前記感光体の結露を防止するための結露防止ヒータを備え、
前記壁面は、
前記結露防止ヒータの上方で前記長手方向の中央部に形成された中央開口部と、前記結露防止ヒータの上方で前記長手方向の両端部それぞれに形成された両端開口部を有するものであり、さらに、
前記結露防止ヒータと前記両端開口部とをつなげたエアダクトを備えたことを特徴とする画像形成装置。
【請求項１２】
静電潜像が形成される感光体と、該感光体の下方で該感光体の長手方向に延びる壁面とを備え、記録媒体に画像を形成する画像形成装置において、
前記壁面のうち前記感光体の長手方向の中央部に配置された、前記感光体の結露を防止するための結露防止ヒータを備え、
前記壁面は、
前記結露防止ヒータの上方で前記長手方向に延びて該長手方向の両端部での面積と中央部での面積とが等しい少なくとも１つの開口部が形成されたものであり、さらに、
前記結露防止ヒータを略密閉すると共に、該結露防止ヒータと前記開口部とをつなげたエアダクトを備えたことを特徴とする画像形成装置。
【請求項１３】
静電潜像が形成される感光体と、該感光体の下方で該感光体の長手方向に延びる壁面とを備え、記録媒体に画像を形成する画像形成装置において、
前記感光体の表面温度を測定する温度測定器と、
前記壁面のうち前記感光体の長手方向の中央部に配置された、前記感光体の結露を防止するための結露防止ヒータとを備え、
前記壁面は、
前記結露防止ヒータの上方で前記長手方向に延びる、該結露防止ヒータで生じた熱を前記感光体に導く少なくとも１つの開口部が形成されたものであり、さらに、
前記温度測定器で測定された温度に基づいて、前記開口部に導く前記熱の量を調節する調節手段を備えたことを特徴とする画像形成装置。
【請求項１４】
静電潜像が形成される感光体と、該感光体の下方で該感光体の長手方向に延びる壁面とを備え、前記感光体に形成された静電潜像を現像して記録媒体に画像を形成する画像形成装置において、
前記壁面のうち前記感光体の長手方向の中央部に配置された、前記感光体の結露を防止するための結露防止ヒータを備え、
前記壁面は、
前記結露防止ヒータの上方で前記長手方向に延びて、該長手方向の両端部と中央部での面積または位置が異なる少なくとも１つの開口部が形成されたもであることを特徴とする画像形成装置。